(57)【要約】      （修正有）【課題】装着者の手が小さい場合であっても、装着した小指をしっかり固定しつつ、装着した手に力を適切かつ快適に入れることができる球技用のグローブを提供する。【解決手段】使用者の手部に装着可能であり、手袋状の外皮２０と；当該外皮と接合され、小指を含む複数の指ごと用の指袋を形成する指袋部２２〜２５、当該指袋部と接合され、手部ＨＮＤが装着されたときに手掌が接触する手掌部、及び、指袋部及び手掌部と接合され、手部が装着されたときに手背が接触する手背部を有する内皮と；を有する球技用のグローブ１０において、装着されることが想定される最小の大きさの手部における小指の先端部分、及び、装着した小指の手掌への付け根部分の尺側への移動の限界位置を設定するとともに、当該装着した小指を尺側に押し付ける小指固定部材４１〜４３；を備える。【選択図】図２
0003214761.tif 000002
【実用新案登録請求の範囲】
【請求項１】
使用者の手部に装着可能であり、手袋状の外皮と；前記外皮と接合され、小指を含む複数の指ごと用の指袋を形成する指袋部、前記指袋部と接合され、前記手部が装着されたときに手掌が接触する手掌部、及び、前記指袋部及び前記手掌部と接合され、前記手部が装着されたときに手背が接触する手背部を有する内皮と；を有する球技用のグローブにおいて、
装着されることが想定される最小の大きさの手部における小指の先端部分、及び、装着した小指の手掌への付け根部分の尺側への移動の限界位置を設定するとともに、前記装着した小指を尺側に押し付ける小指固定部材；
を備えることを特徴とする球技用のグローブ。
【請求項２】
前記小指固定部材は、紐状又は帯状の第１小指固定部材と；紐状又は帯状の第２小指固定部材と；帯状の第３小指固定部材と；を備え、
前記第１小指固定部材は、
一端部が前記外皮の手背側かつ尺側の外部に配置され、前記外皮、前記手背部及び前記手掌部を順次貫通した後に、前記手掌部、前記手背部及び前記外皮を順次貫通して他端部が前記外皮の手背側かつ尺側の外部に配置され、
前記第１小指固定部材の一端部と前記第１小指固定部材の他端部との結び合わせによる引き絞り量に応じて、前記装着した小指の手掌への付け根の尺側への移動の限界位置が設定され、
前記第２小指固定部材は、前記第１小指固定部材の配置位置よりも指先側に配置され、
一端部が、前記外皮の手背側かつ尺側の外部に配置され、前記外皮、前記手背部及び前記手掌部を順次貫通した後に、前記手掌部、前記手背部及び前記外皮を順次貫通して他端部が前記外皮の手背側かつ尺側の外部に配置され、
前記第２小指固定部材の一端部と前記第２小指固定部材の他端部とを結び合わせることにより、装着されることが想定される最小の大きさ以上の大きさの手部における小指の先端部分の尺側への移動の限界位置が設定され、
前記第３小指固定部材は、
一端部が前記手掌部に固定され、前記装着した小指の手背側を経由した後に前記内皮及び前記外皮を貫通して他端部が前記外皮の手背側かつ尺側の外部に配置され、
前記第３小指固定部材の他端部が尺側に引かれることにより、前記装着した小指が尺側へ押し付けられる、
ことを特徴とする請求項１に記載の球技用のグローブ。
【請求項３】
一端部が薬指袋部との接合部位付近の前記手掌部の前記外皮側の面に固定された帯状の薬指固定部材；を更に備え、
前記薬指固定部材は、
前記薬指袋部との接合部位の橈側で前記手掌部を貫通し、装着された薬指の手背側を経由し、前記薬指袋部の尺側で前記手掌部を貫通した後、小指袋部との接合部位の橈側で前記手掌部を貫通し、更に、前記装着した小指の手背側で前記内皮及び前記外皮を貫通して他端部が前記外皮の手背側かつ尺側の外部に配置され、
前記薬指固定部材の他端部が尺側に引かれることにより、前記装着した薬指が前記手掌部に押し付けられる、
ことを特徴とする請求項２に記載の球技用のグローブ。
【請求項４】
前記第３小指固定部材と前記薬指固定部材とは一体化されており、
前記第３小指固定部材の他端部と前記薬指固定部材の一端部とは結び合わせ可能である、
ことを特徴とする請求項３に記載の球技用のグローブ。
【請求項５】
装着した母指の橈側への移動の限界位置を設定するとともに、前記装着した母指を橈側へ押し付ける母指固定部材；を更に備えることを特徴とする請求項１〜４のいずれか一項に記載の球技用のグローブ。
【請求項６】
前記母指固定部材は、紐状又は帯状の第１母指固定部材と；帯状の第２母指固定部材と；を更に備え、
前記第１母指固定部材は、
一端部が、前記手掌部の外皮対向面に固定され、前記手掌部、前記手背部及び前記外皮を順次貫通し、更に、前記外皮を貫通した後に再度前記外皮を貫通して他端部が前記外皮の手背側かつ橈側の外部に配置され、
前記第１母指固定部材の他端部の橈側への引き量に応じて、前記装着された母指の橈側への移動の限界位置が設定され、
前記第２母指固定部材は、
一端部が、前記第１母指固定部材の前記装着された母指の押し付け位置よりも指先側前記手掌部に固定され、前記外皮及び前記内皮を順次貫通し、前記装着された母指の示指側を経由した後に、前記装着された母指の橈側の前記内皮及び前記外皮を順次貫通して他端部が前記外皮の手背側かつ橈側の外部に配置され、
前記第２母指固定部材の他端部が橈側に引かれることにより、前記装着した母指が橈側へ押し付けられる、
ことを特徴とする請求項５に記載の球技用のグローブ。
【考案の詳細な説明】
【技術分野】
【０００１】
本考案は、野球、ソフトボール等の球技で捕球用に用いられる球技用のグローブに関する。
【背景技術】
【０００２】
従来から、野球、ソフトボール等の球技で捕球用に用いられる球技用のグローブが広く普及している。こうした球技用のグローブを使用した捕球に際しては、装着者の指が不必要に動くと、当該指の力の当該グローブへの伝達を、装着者の意図通りにはできない。このため、薬指をグローブに固定し、指の力の当該グローブへの伝達性の向上を図る技術が開示されている（特許文献１参照；以下、「従来例」と呼ぶ）。
【０００３】
かかる従来例の技術では、装着者の薬指を受け入れ可能な帯状体を設ける。この帯状体は、薬指を受け入れ可能とするためにグローブの内部で折り曲げられ輪状をなした状態で、グローブの尺側外部に配置された当該帯状体の端部を尺側に引くことにより、装着した薬指が尺側に押されるようになっている。
【先行技術文献】
【特許文献】
【０００４】
【特許文献１】実用新案登録第３２０４８３９号公報
【考案の概要】
【考案が解決しようとする課題】
【０００５】
上述した従来例の技術を、指の力が特に弱い小指に対して適用することが考えられる。この場合、装着者の小指を受け入れ可能な帯状体のグローブの尺側外部に配置された尺側端部を尺側に引いて、装着された小指をしっかり固定しようとすると、当該装着された小指は、グローブにおける手の挿入用空間の尺側端部で固定されることになる。この結果、装着者の手が小さい場合には、クローブに小指をしっかり固定するようにすると、装着した小指が不必要に尺側に引っ張られ、力が入らなくなってしまう。
【０００６】
このため、装着者の手が小さい場合であっても、装着した小指をしっかり固定しつつ、装着した手に適切かつ快適に力を入れることができる球技用のグローブに関する技術が望まれている。かかる要請に応えることが、考案が解決しようとする課題の一つとして挙げられる。
【課題を解決するための手段】
【０００７】
本考案の球技用のグローブは、使用者の手部に装着可能であり、手袋状の外皮と；前記外皮と接合され、小指を含む複数の指ごと用の指袋を形成する指袋部、前記指袋部と接合され、前記手部が装着されたときに手掌が接触する手掌部、及び、前記指袋部及び前記手掌部と接合され、前記手部が装着されたときに手背が接触する手背部を有する内皮と；を有する球技用のグローブにおいて、装着されることが想定される最小の大きさの手部における小指の先端部分、及び、装着した小指の手掌への付け根部分の尺側への移動の限界位置を設定するとともに、前記装着した小指を尺側に押し付ける小指固定部材；を備えることを特徴とする球技用のグローブである。
【０００８】
この球技用のグローブでは、小指固定部材が、装着されることが想定される最小の大きさの手部における小指の先端部分、及び、装着した小指の手掌への付け根部分の尺側への移動の限界位置を設定するとともに、当該装着した小指を尺側に押し付ける。このため、装着者の手が小さい場合であっても、装着者の小指の撓側、並びに、先端部及び付け根部の尺側の三点支持の態様で、装着者にとって使い勝手のよい位置で、装着した小指を固定することができる。
【０００９】
したがって、本考案の球技用のグローブによれば、装着した手に力を適切かつ快適に入れることができる合理的な位置で、装着した小指をしっかりと固定することができる。
【００１０】
この球技用のグローブでは、前記小指固定部材は、紐状又は帯状の第１小指固定部材と；紐状又は帯状の第２小指固定部材と；帯状の第３小指固定部材と；を備え、前記第１小指固定部材は、一端部が前記外皮の手背側かつ尺側の外部に配置され、前記外皮、前記手背部及び前記手掌部を順次貫通した後に、前記手掌部、前記手背部及び前記外皮を順次貫通して他端部が前記外皮の手背側かつ尺側の外部に配置され、前記第１小指固定部材の一端部と前記第１小指固定部材の他端部との結び合わせによる引き絞り量に応じて、前記装着した小指の手掌への付け根の尺側への移動の限界位置が設定され；前記第２小指固定部材は、前記第１小指固定部材の配置位置よりも指先側に配置され、一端部が、前記外皮の手背側かつ尺側の外部に配置され、前記外皮、前記手背部及び前記手掌部を順次貫通した後に、前記手掌部、前記手背部及び前記外皮を順次貫通して他端部が前記外皮の手背側かつ尺側の外部に配置され、前記第２小指固定部材の一端部と前記第２小指固定部材の他端部とを結び合わせることにより、装着されることが想定される最小の大きさ以上の大きさの手部における小指の先端部分の尺側への移動の限界位置が設定され；前記第３小指固定部材は、一端部が前記手掌部に固定され、前記装着した小指の手背側を経由した後に前記内皮及び前記外皮を貫通して他端部が前記外皮の手背側かつ尺側の外部に配置され、前記第３小指固定部材の他端部が尺側に引かれることにより、前記装着した小指が尺側へ押し付けられる；構成とすることができる。
【００１１】
この場合には、第１小指固定部材の一端部と他端部とを結び合わせて引き絞ることにより、引き絞り量に応じて、装着した小指の手掌への付け根の尺側への移動の限界位置が設定される。また、第２小指固定部材の一端部と他端部とを結び合わせることにより、引き絞り量に応じて、装着されることが想定される最小の大きさの手部における小指の先端部分の尺側への移動の限界位置が設定される。
【００１２】
一方、第３小指固定部材の他端部が尺側に引かれることにより、装着した小指の撓側に尺側方向へ押し付ける力が加わる。この結果、当該装着した小指が尺側方向へ移動しようとする。
【００１３】
このため、第１小指固定部材による引き絞り量の調整、及び、第２小指固定部材の結び合わせ、並びに、第３小指固定部材の他端部の尺側への引き量の調整により、装着者の手が小さい場合であっても、装着者の小指の撓側、並びに、先端部及び付け根部の尺側の三点支持の態様で、装着者にとって使い勝手のよい位置で、装着した小指を固定することができる。したがって、装着した手に力を適切かつ快適に入れることができる合理的な位置で、装着した小指をしっかりと固定することができる。
【００１４】
本考案の球技用のグローブでは、一端部が薬指袋部との接合部位付近の前記手掌部の前記外皮側の面に固定された帯状の薬指固定部材；を更に備え、前記薬指固定部材は、前記薬指袋部との接合部位の撓側で前記手掌部を貫通し、装着された薬指の手背側を経由し、前記薬指袋部の尺側で前記手掌部を貫通した後、小指袋部との接合部位の撓側で前記手掌部を貫通し、更に、前記装着した小指の手背側で前記内皮及び前記外皮を貫通して他端部が前記外皮の手背側かつ尺側の外部に配置され、前記薬指固定部材の他端部が尺側に引かれることにより、前記装着した薬指が前記手掌部に押し付けられる、という構成とすることができる。
【００１５】
この場合には、薬指固定部材の他端部が尺側に引かれることにより、装着した薬指が手掌部に押し付けられる。この結果、装着した薬指が、薬指袋への挿入部分の手首側直前の位置で、しっかりと手掌部に固定される。したがって、装着された小指に加えて、装着された薬指も、合理的な位置で、しっかりと固定することができる。
【００１６】
ここで、前記第３小指固定部材と前記薬指固定部材とは一体化されており、前記第３小指固定部材の他端部と前記薬指固定部材の一端部とは結び合わせ可能である、という個性とすることができる。この場合には、互いに分離した状態で用意すべき部材の数を減少することができるとともに、第３小指固定部材の他端部の尺側への引き量と、薬指固定部材の一端部の尺側への引き量とを調節したうえで、第３小指固定部材の他端部と薬指固定部材の一端部とを結び合わせるという簡易な操作を行うことで、装着された小指、及び、装着された薬指の双方の固定位置のずれを防止することができる。
【００１７】
本考案の球技用のグローブでは、装着した母指の橈側への移動の限界位置を設定するとともに、前記装着した母指を橈側へ押し付ける母指固定部材；を更に備える構成とすることができる。この場合には、母指固定部材が、装着した母指の橈側への移動の限界位置を設定するとともに、当該装着した母指を橈側へ押し付けるので、装着者の手が小さい場合であっても、装着者にとって使い勝手のよい位置で、装着した母指を固定することができる。
【００１８】
ここで、前記母指固定部材は、紐状又は帯状の第１母指固定部材と；帯状の第２母指固定部材と；を更に備え、前記第１母指固定部材は、一端部が、前記手掌部の外皮対向面に固定され、前記手掌部、前記手背部及び前記外皮を順次貫通し、更に、前記外皮を貫通した後に再度前記外皮を貫通して他端部が前記外皮の手背側かつ橈側の外部に配置され、前記第１母指固定部材の他端部の橈側への引き量に応じて、前記装着された母指の橈側への移動の限界位置が設定され、前記第２母指固定部材は、一端部が、前記第１母指固定部材の前記装着された母指の押し付け位置よりも指先側前記手掌部に固定され、前記外皮及び前記内皮を順次貫通し、前記装着された母指の示指側を経由した後に、前記装着された母指の橈側の前記内皮及び前記外皮を順次貫通して他端部が前記外皮の手背側かつ橈側の外部に配置され、前記第２母指固定部材の他端部が橈側に引かれることにより、前記装着した母指が橈側へ押し付けられる；という構成とすることができる。
【００１９】
この場合には、第１母指固定部材の他端部が撓側方向へ引かれると、引き量に応じて、前記装着された母指の撓側への移動の限界位置が設定される。一方、第２母指固定部材の他端部を尺側に引くことにより、装着した母指の尺側に撓側方向へ押し付ける力が加わり、当該装着した母指が撓側方向へ移動しようとする。
【００２０】
したがって、第１母指固定部材の他端部の撓側方向への引き量、及び、第２母指固定部材の他端部の撓側方向への引き量を調整することにより、装着者の手が小さい場合であっても、装着者にとって使い勝手のよい位置で、装着した母指を固定することができる。
【考案の効果】
【００２１】
本考案によれば、装着者の手が小さい場合であっても、装着した小指をしっかり固定しつつ、装着した手に適切かつ快適に力を入れることができる球技用のグローブを提供できるという効果を奏する。
【図面の簡単な説明】
【００２２】
【図１】本考案の一実施形態に係る球技用のグローブを手掌側から見た場合の外観図である。
【図２】本考案の一実施形態に係る球技用のグローブを手背側から見た場合の外観図である。
【図３】本考案の一実施形態に係る球技用のグローブが備える内皮を手背側から見た場合の外観図（その１）である。
【図４】本考案の一実施形態に係る球技用のグローブが備える内皮を手背側から見た場合の外観図（その２）である。
【図５】第１小指固定部材及び第３小指固定部材、並びに、薬指固定部材の配設態様を説明するための図である。
【図６】第２小指固定部材の配設態様を説明するための図である。
【図７】第１小指固定部材及び第３小指固定部材、並びに、薬指固定部材の配設態様を説明するための図である。
【考案を実施するための形態】
【００２３】
以下、本考案に係る一実施形態を、図１〜図７を参照して説明する。なお、以下の説明においては、同一又は同等の要素には同一符号を付し、重複する説明を省略する。
【００２４】
図１には、一実施形態の球技用のグローブ１０（以下、単に「グローブ１０」とも呼ぶ）を手掌側から見た場合の外観が示されている。また、図２には、グローブ１０を手背側から見た場合の外観が示されている。
【００２５】
なお、図１及び図２（後述する）に示される座標系（Ｘ，Ｙ，Ｚ）は、グローブ１０における各部又は各部材の配設位置等の方向を表現する際に適宜使用するものとする（後述する図３〜図７についても同様とする）。
【００２６】
図１及び図２により総合的に示されるように、グローブ１０は、手袋状の外皮２０を備えている。この外皮２０は、母指袋部２１と、示指袋部２２と、中指袋部２３と、薬指袋部２４と、小指袋部２５とを有している。また、グローブ１０は、手掌部２６と、手背部２７とを有している。
【００２７】
なお、図１及び図２には、グローブ１０が装着される想定される最小の大きさの手部ＨＮＤが示されている。以下に説明においては、手部ＨＮＤにおける母指を「母指ＦＧ１」、薬指を「薬指ＦＧ４」、小指を「小指ＦＧ５」と記すものとする。
【００２８】
この外皮２０には、帯状又は紐状の複数の部材が配設されている。こうした複数の部材には、第１小指固定部材４１、第２小指固定部材４２及び第３小指固定部材４３が含まれている。また、当該複数の部材には、薬指固定部材の一部５１、第１母指固定部材６１及び第２母指固定部材６２が含まれている。
【００２９】
なお、第１小指固定部材４１、第２小指固定部材４２及び第３小指固定部材４３により、小指固定部材が構成されるようになっている。また、第１母指固定部材６１及び第２母指固定部材６２により、母指固定部材が構成されるようになっている。
【００３０】
図３には、外皮２０と接合される内皮３０を手背側から見た場合の外観が示されている。この図３に示されるように、内皮３０は、母指袋部３１と、示指袋部３２と、中指袋部３３と、薬指袋部３４と、小指袋部３５とを有している。また、内皮３０は、手掌部３６と、手背部３７1，３７2とを有している。
【００３１】
ここで、母指袋部３１は母指袋部２１内に挿入され、示指袋部３２は示指袋部２２内に挿入され、中指袋部３３は中指袋部２３内に挿入される。また、薬指袋部３４は薬指袋部２４内に挿入され、母指袋部３５は母袋部２５内に挿入される。そして、手掌部３６及び手背部３７1，３７2が、縫い合わせにより、外皮２０に接合されるようになっている。
【００３２】
図４には、手背部３７1，３７2を捲った状態で、内皮３０を手背側から見た場合の外観が示されている。図３及び図４により総合的に示されるように、内皮３０における手掌部３６には、薬指固定部材の一部５２、第１母指固定部材６１及び第２母指固定部材６２が接合されている。なお、薬指固定部材の一部５１，５２により、薬指固定部材が構成されるようになっている。
【００３３】
ここで、薬指固定部材の一部５２は、薬指袋部３４との接合位置付近の手掌部３６に固定されており、固定位置側方向の反対側方向部が二股に分かれている。そして、一方が薬指固定部材の一部となり、他方が第３小指固定部材４３となっている。すなわち、第３小指固定部材４３と薬指固定部材とは一体化されている。このため、第３小指固定部材４３は、間接的に、手掌部３６に固定されている。
【００３４】
第１母指固定部材６１は、手掌部３６に固定されている。また、第２母指固定部材６２、母指袋部３１との接合位置付近の手掌部３６に固定されており、固定位置側方向の反対側方向部が二股に分かれている。
【００３５】
図５には、グローブ１０における第１小指固定部材４１及び第３小指固定部材４３、並びに、薬指固定部材（５１，５２）の配設態様が示されている。図２及び図５により総合的に示されるように、第１小指固定部材４１は、一端部が外皮２０の手背側（−Ｙ方向側）かつ尺側（−Ｘ方向側）の外部に配置される。そして、第１小指固定部材４１は、外皮２０の手背部２７、内皮３０の手背部３７1及び手掌部３６を順次貫通した後に、手掌部３６、手背部３７1及び手背部２７を順次貫通して、他端部が外皮２０の手背側かつ尺側の外部に配置される。第１小指固定部材４１の一端部と他端部との結び合わせによる引き絞り量に応じて、手掌部３６と手背部３７1との距離が変化する。この結果、小指ＦＧ５の手掌への付け根の尺側への移動の限界位置が設定される。
【００３６】
また、第３小指固定部材４３が、一端部が薬指固定部材の一部５２を介して内皮２０の手掌部２６に固定されるとともに、補強部材５３を利用して外皮２０の手掌部２６に固定される。そして、薬指固定部材の一部５２が薬指ＦＧ４の手背側を経由した後に手背部３７1を貫通し、二股に分かれた後の第３小指固定部材４３は、小指ＦＧ５の手背側を経由した後に手背部３７1及び手背部２７を順次貫通して、外皮２０の手背側かつ尺側の外部に配置される。第３小指固定部材４３の他端部が尺側に引かれることにより、小指ＦＧ５が尺側へ押し付けられる。
【００３７】
また、薬指固定部材の一部５２が手掌部３６を貫通し、二股に分かれた後の薬指固定部材の一部５１は、手背部３７1及び手背部２７を順次貫通して、外皮２０の手背側かつ尺側の外部に配置される。薬指固定部材の一部５１の外皮２０の外部に配置された一端部が尺側に引かれることにより、薬指ＦＧ４が手掌部３６に押し付けられる。
【００３８】
なお、第３小指固定部材４３と薬指固定部材と一体化されているので、第３小指固定部材４３の他端部と薬指固定部材の一端部とが結び合わされて引き絞られることにより、小指ＦＧ５が尺側へ押し付けられるとともに、薬指ＦＧ４が手掌部３６に押し付けられる。
【００３９】
図６には、グローブ１０における第２小指固定部材４２の配設態様が示されている。図６に示されるように、第２小指固定部材４２は、上述した第１小指固定部材４１の配置位置よりも指先側に配置され、一端部が、外皮２０の手背側（−Ｙ方向側）かつ尺側（−Ｘ方向側）の外部に配置される。そして、第２小指固定部材４２は、手背部２７、手背部３７1、手掌部３６及び手掌部２６を順次貫通した後に、手掌部２６、手掌部３６、手背部３７1及び手背部２７を順次貫通して、他端部が外皮２０の手背側かつ尺側の外部に配置される。第２小指固定部材４２の一端部と他端部とを結び合わせることにより、手掌部３６と手背部３７1との距離が変化する。この結果、小指ＦＧ５の先端部分の尺側への移動の限界位置が設定される。
【００４０】
図７には、グローブ１０における第１母指固定部材６１及び第２母指固定部材６２の配設態様が示されている。図７に示されるように、第１母指固定部材６１の一端部が手掌部２６及び手掌部３６に固定されている。そして、第１母指固定部材６１は、手掌部３６を貫通した後に、手背部３７2及び手背部２７を貫通する。引き続き、第１母指固定部材６１は、手背部２７を貫通した後に再度手背部２７を貫通して、他端部が外皮２０の手背側（−Ｙ方向側）かつ橈側（＋Ｘ方向側）の外部に配置される。第１母指固定部材６１の他端部の橈側への引き量に応じて、手掌部３６と手背部３７1との距離が変化する。この結果、母指ＦＧ１の橈側への移動の限界位置が設定される。
【００４１】
また、第２母指固定部材６２の一端部が手掌部２６及び手掌部３６に固定されている。そして、第２母指固定部材６２は、二股に分かれた後の双方が手背部３７2及び手背部２７を貫通して、当該双方の端部が外皮２０の手背側（−Ｙ方向側）かつ橈側（＋Ｘ方向側）の外部に配置される。当該双方の端部を結び合わせて、第２母指固定部材６２を橈側へ引くことにより、母指ＦＧ１が橈側へ押し付けられる。
【００４２】
以上説明したように、本実施形態によれば、第１小指固定部材４１の一端部と他端部とを結び合わせて引き絞ることにより、引き絞り量に応じて、装着した小指ＦＧ５の手掌への付け根の尺側への移動の限界位置が設定される。また、第２小指固定部材４２の一端部と他端部とを結び合わせることにより、装着されることが想定される最小の大きさの手部における小指の先端部分の尺側への移動の限界位置が設定される。
【００４３】
一方、第３小指固定部材４３の他端部が尺側に引かれることにより、装着した小指の撓側に尺側方向へ押し付ける力が加わる。この結果、当該装着した小指ＦＧ５が尺側方向へ移動しようとする。
【００４４】
このため、第１小指固定部材４１の両端部の結び合わせよる引き絞り量の調整、及び、第２小指固定部材４２による引き絞り量の調整、並びに、第３小指固定部材４３の他端部の尺側への引き量の調整により、装着者の手が小さい場合であっても、装着者の小指ＦＧ５の撓側、並びに、先端部及び付け根部の尺側の三点支持の態様で、装着者にとって使い勝手のよい位置で、装着した小指ＦＧ５を固定することができる。したがって、装着した手に力を適切かつ快適に入れることができる合理的な位置で、装着した小指をしっかりと固定することができる。
【００４５】
また、本実施形態によれば、薬指固定部材の一部５１が尺側に引かれることにより、装着した薬指ＦＧ４が手掌部３６に押し付けられる。この結果、装着した薬指ＦＧ４が、薬指袋部３４への挿入部分の手首側直前の位置で、しっかりと手掌部３６に固定される。このため、装着された小指ＦＧ５に加えて、装着された薬指ＦＧ４も、合理的な位置で、しっかりと固定することができる。
【００４６】
また、本実施形態によれば、第１母指固定部材６１の他端部が撓側方向へ引かれると、引き量に応じて、装着された母指ＦＧ１の撓側への移動の限界位置が設定される。一方、第２母指固定部材６２が尺側に引かれることにより、装着した母指ＦＧ１の尺側に撓側方向へ押し付ける力が加わると、当該装着した母指ＦＧ１が撓側方向へ移動しようとする。      
【００４７】
したがって、第１母指固定部材６１の他端部の撓側方向への引き量、及び、第２母指固定部材６２の他端部の撓側方向への引き量を調整することにより、装着者の手が小さい場合であっても、装着者にとって使い勝手のよい位置で、装着した母指ＦＧ１を固定することができる。
【００４８】
［実施形態の変形］
本考案は、上記の実施形態に限定されるものではく、実用新案登録請求の範囲に記載の範囲内での様々な変形が可能である。
【００４９】
例えば、上記の実施形態では、薬指固定部材を有するようにしたが、薬指固定部材を省略し、第１固定部材を直接内皮に固定するようにしてもよい。
【産業上の利用可能性】
【００５０】
本考案は、球技用のグローブの分野で有用である。
【符号の説明】
【００５１】
１０          …  球技用のグローブ
２０          …  外皮
２１〜２５    …  指袋部
２６          …  手掌部
２７          …  手背部
３０          …  内皮
３１〜３５    …  指袋部
３６          …  手掌部
３７1，３７2  …  手背部
４１          …  第１小指固定部材（小指固定部材の一部）
４２          …  第２小指固定部材（小指固定部材の一部）
４３          …  第３小指固定部材（小指固定部材の一部）
５１          …  薬指固定部材の一部
５２          …  薬指固定部材の一部
６１          …  第１母指固定部材（母指固定部材の一部）
６２          …  第２母指固定部材（母指固定部材の一部）
ＦＧ１        …  母指
ＦＧ４        …  薬指
ＦＧ５        …  小指
ＨＮＤ        …  手部
【図１】
0003214761.tif 000003
【図２】
0003214761.tif 000004
【図３】
0003214761.tif 000005
【図４】
0003214761.tif 000006
【図５】
0003214761.tif 000007
【図６】
0003214761.tif 000008
【図７】
0003214761.tif 000009